(57)【特許請求の範囲】
【請求項１】
地上に立てるポールに、太陽光パネルと、前記太陽光パネルで発電された電気を蓄積するバッテリーと、アンテナと、前記アンテナを介して放送電波を受信する受信部と、音声信号切替制御部と、外部拡声増幅器と、警報発令部と、スピーカと、前記受信部が放送電波を受信すると、前記音声信号切替制御部で変換された音の出力と共に、その放送が緊急警報放送の場合には前記警報発令部を介して前記外部拡声増幅器をＯＮにして、前記スピーカから自動的に拡声放送させる制御部とが取り付けられ、太陽光発電を駆動源として自動的に緊急警報放送を拡声放送し、前記音声信号切替制御部に、録音機器接続用出力端子と再生機器接続用入力端子が設けられており、放送電波の録音機器への録音と、再生機器の録音内容の拡声放送が可能になっていることを特徴とする自立型緊急放送受信拡声機。
【請求項２】
請求項１に記載した自立型緊急放送受信拡声機において、
外部拡声増幅器を強制的にＯＮにする強制放送スイッチを備え、前記強制放送スイッチの押上により、緊急警報放送以外の放送もスピーカから拡声放送されることを特徴とする自立型緊急放送受信拡声機。
【請求項３】
請求項１または２に記載した自立型緊急放送受信拡声機において、
ハンドマイクを備え、前記ハンドマイクから入力された音声がスピーカから拡声放送されることを特徴とする自立型緊急放送受信拡声機。
【請求項４】
請求項１から３のいずれかに記載した自立型緊急放送受信拡声機において、
ＵＳＢ端子を備え、外部機器を前記ＵＳＢ端子に接続するとそのバッテリーが充電されることを特徴とする自立型緊急放送受信拡声機。
【請求項５】
請求項１から４のいずれかに記載した自立型緊急放送受信拡声機において、
緊急警報放送受信信号の出力端子を備えていることを特徴とする自立型緊急放送受信拡声機。
【請求項６】
請求項１から５のいずれかに記載した自立型緊急放送受信拡声機において、
太陽光パネルとアンテナとスピーカ以外は、開閉可能な制御箱に収容されていることを特徴とする自立型緊急放送受信拡声機。
【請求項７】
請求項６に記載した自立型緊急放送受信拡声機において、
制御箱に鍵付き扉が設けられており、その扉にＦＭ受信状態表示部が配置されていることを特徴とする自立型緊急放送受信拡声機。
【発明の詳細な説明】
【技術分野】
【０００１】
本発明は緊急放送受信拡声機に係り、特に屋外で設置して、人的作業を介さずとも機能を発揮できる自立型緊急放送受信拡声機に関するものである。
【背景技術】
【０００２】
気象庁が全国瞬時警報システム（通称：J-ALERT）を利用してテレビで緊急警報速報を流しているが、自治体の主要箇所にも同システムから緊急警報が伝達されるので、自治体の担当者はこの緊急警報が伝達されると、防災無線等を操作して情報を流すことで、屋外にいる住民にも情報が行き渡るようにしている。
而して、現在日本は地震活動期に入ったと言われるほど地震が多発しており、地震や津波に対する緊急警報放送の重要性は以前とは比較できないほど高まっている。
しかしながら、伝達の確実性をより高めようとすると、上記した伝達方法では不安が残る。
例えば、地震が発生した後の津波に関する緊急警報速報を行政無線等によって伝達しようとしても、担当者が地震によって既に被災しており、対応できない場合が考えられるからである。
また、防災無線により音声を届けられる範囲は担当者が所在する発信元を中心とする範囲であり、人が普段立ち入らないような場所まではカバーできていないのが現状である。
【発明の概要】
【発明が解決しようとする課題】
【０００３】
本発明は上記従来の問題点に着目して為されたものであり、人的作業を介さずに緊急警報を流し、しかも、電源等を気にせずに必要な場所に設置できる、新規且つ有用な自立型緊急放送受信拡声機の提供を、その目的とする。
【課題を解決するための手段】
【０００４】
テレビと同様に、NHK-FMからも、緊急警報速報が流れることを利用して、この電波を受信するとその内容を自動的に拡声放送するよう構成し、しかも、太陽光発電を利用することで自立型とする受信拡声機を発明した。
【０００５】
請求項１の発明は、地上に立てるポールに、太陽光パネルと、前記太陽光パネルで発電された電気を蓄積するバッテリーと、アンテナと、前記アンテナを介して放送電波を受信する受信部と、音声信号切替制御部と、外部拡声増幅器と、警報発令部と、スピーカと、前記受信部が放送電波を受信すると、前記音声信号切替制御部で変換された音の出力と共に、その放送が緊急警報放送の場合には前記警報発令部を介して前記外部拡声増幅器をＯＮにして、前記スピーカから自動的に拡声放送させる制御部とが取り付けられ、太陽光発電を駆動源として自動的に緊急警報放送を拡声放送し、前記音声信号切替制御部に、録音機器接続用出力端子と再生機器接続用入力端子が設けられており、放送電波の録音機器への録音と、再生機器の録音内容の拡声放送が可能になっていることを特徴とする自立型緊急放送受信拡声機である。
【０００６】
請求項２の発明は、請求項１に記載した自立型緊急放送受信拡声機において、外部拡声増幅器を強制的にＯＮにする強制放送スイッチを備え、前記強制放送スイッチの押上により、緊急警報放送以外の放送もスピーカから拡声放送されることを特徴とする自立型緊急放送受信拡声機である。
【０００８】
請求項３の発明は、請求項１または２に記載した自立型緊急放送受信拡声機において、ハンドマイクを備え、前記ハンドマイクから入力された音声がスピーカから拡声放送されることを特徴とする自立型緊急放送受信拡声機である。
【０００９】
請求項４の発明は、請求項１から３のいずれかに記載した自立型緊急放送受信拡声機において、ＵＳＢ端子を備え、外部機器を前記ＵＳＢ端子に接続するとそのバッテリーが充電されることを特徴とする自立型緊急放送受信拡声機である。
【００１０】
請求項５の発明は、請求項１から４のいずれかに記載した自立型緊急放送受信拡声機において、緊急警報放送受信信号の出力端子を備えていることを特徴とする自立型緊急放送受信拡声機である。
【００１１】
請求項６の発明は、請求項１から５のいずれかに記載した自立型緊急放送受信拡声機において、太陽光パネルとアンテナとスピーカ以外は、開閉可能な制御ボックスに収容されていることを特徴とする自立型緊急放送受信拡声機である。
【００１２】
請求項７の発明は、請求項６に記載した自立型緊急放送受信拡声機において、制御ボックスに鍵付き扉が設けられており、その扉にＦＭ受信状態表示部が配置されていることを特徴とする自立型緊急放送受信拡声機である。
【発明の効果】
【００１３】
本発明の自立型緊急放送受信拡声機によれば、人的作業を介さずに緊急警報を流し、しかも、独立電源を備えて必要な場所に設置できる。
【図面の簡単な説明】
【００１４】
【図１】本発明の実施の形態に係る自立型緊急放送受信拡声機の正面図と側面図である。
【図２】図１の制御ボックスの扉を閉じた状態を示す図である。
【図３】図２の制御ボックスの扉を開けた状態を示す図である。
【図４】図１の自立型緊急放送受信拡声機のバッテリー機能部に関する電気的構成図である。
【図５】図１の自立型緊急放送受信拡声機の放送機能部に関する電気的構成図である。
【図６】図１の自立型緊急放送受信拡声機の付加機能部に関する電気的構成図である。
【発明を実施するための形態】
【００１５】
本発明の実施の形態に係る自立型緊急放送受信拡声機１について、図面にしたがって説明する。
図１に示すように、この自立型緊急放送受信拡声機１では、ベース部３にポール５が一体的に立設されており、設置地面に基礎工事をした後にアンカーボルトで固定して、ポール５を地上に立てて設置するようになっている。従って、設置場所を変えることも容易になっている。
【００１６】
ポール５の中間部には、制御箱７が取り付けられている。この制御箱７はポール５への取付け側となる収容部９とその前開口側を閉じる扉１１とで構成されている。
図２に示すように、扉１１の表面にはドアハンドル１３が設けられ、鍵穴１５に鍵を差し込んで施錠するようになっている。ドアハンドル１３の近傍には、ＦＭ電波の受信状態を表示するためのＦＭ受信状態表示ＬＥＤ１７が配置されている。
【００１７】
図３に示すように、扉１１を開けると、その裏面には、上記したドアハンドル１３と連係動作するロック機構１９が取り付けられている。また、収容部９内には、バッテリー２１の上側に制御部（筐体）２３が設置されている。この制御部２３の正面には、強制放送スイッチ２５、マイク放送／ＦＭ放送／外部機器放送切替スイッチ２７、機能試験スイッチ２９が横に並んで配置されている。また、上記スイッチ群の上側には、バッテリー２１の残量状態を緑、橙、赤と色分け表示するバッテリー状態表示ＬＥＤ３１が配置されている。
また、制御部２３の右側には外部拡声増幅器（ＡＭＰ）３３が設置されている。また、ハンドマイク３５や、外部機器への出力端子３７・入力端子３８や、ＵＳＢ充電端子３９のケーブルが接続されている。
【００１８】
図１に示すように、制御箱７の上には、ＬＥＤタイプの赤色回転灯４１が取り付けられ、その上にはスピーカ４３が取付けられ、さらにポール５の上端部には太陽光パネル４５が取り付けられている。また、ＦＭアンテナ４７が立てられている。
図示省略するが、太陽光パネル４５等はケーブルを介して制御箱７内電気的に接続されている。
【００１９】
自立型緊急放送受信拡声機１は、上記したような外観構成を有しているが、外側が確認できるものも含めて、主要な機能が電動式になっている。
上記した制御部２３の内部には制御基板４９（図４）と、見えないがその背面側に音声信号切替制御部５７と、警報発令部５９とが設けられており、それぞれをＰＩＣが制御している。
以下、機能毎に分けて構成と動作を詳しく説明する。
【００２０】
〈バッテリー機能部：図４〉
制御基板４９が、バッテリー２１に内蔵されたバッテリーコントローラ５１の出力電圧等を監視しており、上記した太陽光パネル４５（図１）で昼間太陽光により発電された電気が配線を通してバッテリー２１（図３）に蓄電されると共に、各部（回路）に給電する。
また、バッテリー２１の端子電圧の変動を監視しており、残量を演算し、その結果に応じてバッテリー状態表示ＬＥＤ３１（図３）の特定の色を点灯させる。この点灯により、バッテリー状態を視認できる。さらに、許容下限を設定しており、残量がこの下限を超えて下がった場合には、制御基板４９側に配置されたバッテリー電圧低下警報ブザー５３を鳴動させる。
上記したように、独立電源で動作するよう構成しているので、電源を気にせずに任意の場所に設置できる。また、バッテリー２１で蓄電しているので、夜間でも後述する受信機能等が働くようになっている。
【００２１】
〈拡声放送部：図５〉
[緊急警報放送]
ＦＭアンテナ４７（図１）を介してＦＭ放送電波を受信すると、受信部５５はそこに含まれる音情報を、音声信号切替制御部５７に出力する。この音声信号切替制御部５７は音声信号に切替え、更に、制御基板４９からの制御指令に応じて最大音量で出力する。
また、制御基板４９は「ピロピロ」という緊急警報信号の開始信号を受信すると、警報発令部５９を介して警報発令信号を出力し、上記した音出力を外部拡声増幅器（ＡＭＰ）３３（図３）をＯＮさせて増幅させた後、スピーカ４３（図１）で拡声放送させる。
従って、緊急警報放送信号を受信すると、自動的に、緊急警報がスピーカ４３から大音量で拡声放送される。
並行して、警報発令部５９は赤色回転灯４１（図１）を作動させるので、視覚的にも緊急警報が放送されていることが確認できるようになっている。
【００２２】
[その他の電波放送]
強制放送スイッチ２５（図３）も設けられており、この強制放送スイッチ２５の押上でも、外部拡声増幅器（ＡＭＰ）３３をＯＮして増幅させた後、スピーカ４１で拡声放送させることができる。
従って、緊急警報放送でなくとも、強制放送スイッチ２５を利用することで拡声放送できるようになっており、避難場所や災害状況等の告知にも利用できる。
【００２３】
なお、ＦＭ受信状態表示ＬＥＤ１７（図２）は、ＦＭ電波を受信中は、ゆっくりと点滅し、非受信中は、早く点滅するので、待機状態を確認できる。
【００２４】
音声信号切替制御部５７には、録音機器接続用出力端子３７と、再生機器接続用入力端子３８（図３）が備えられており、ＩＣレコーダ等に接続して、放送内容を録音し、また、録音したものをスピーカ４３で拡声放送することもできる。
従って、必要な放送内容を、後からも繰り返し放送することができる。
【００２５】
[マイク放送]
加えて、音声信号切替制御部５７には、ハンドマイク３５（図３）も備えられており、マイク放送／ＦＭ放送／外部機器放送切替スイッチ２７（図３）を押してマイク側を開通させることで発声を入力させることができる。ハンドマイク３５の操作により、外部拡声増幅器（ＡＭＰ）３３（図３）により、放送電波を受信した場合と同様に、スピーカ４３（図１）で拡声放送させることもできる。
従って、利用者独自の情報の発信元として利用することができる。
【００２６】
〈機能確認部：図５〉
上記した機能の確認用に、機能試験スイッチ２９（図３）が利用される。
この機能試験スイッチ２９を押すと、制御基板４９が強制的にバッテリー電圧低下警報ブザー５３を鳴動させ、赤色回転灯４１を点灯させ、外部拡声増幅器３３をＯＮにする。
従って、聴覚的、視覚的に機能が正常に働いているかを確認できる。
【００２７】
〈追加機能部：図６〉
制御基板４９には、ＵＳＢ充電端子３９が備えられており、携帯電話機等のバッテリーの充電に利用することができる。
また、緊急警報放送受信信号の出力端子６１、６１が設けられており、これを外部機器に接続すると、その外部機器の無電圧接点回路に無電圧接点信号として入力させることができるので、非常灯等の外部機器の起動をかけるのに利用することができる。
【００２８】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００２９】
１…自立型緊急放送受信拡声機
３…ベース部      ５…ポール      ７…制御箱      ９…収容部
１１…扉      １３…ドアハンドル      １５…鍵穴      
１７…ＦＭ受信状態表示ＬＥＤ      １９…ロック機構
２１…バッテリー      ２３…制御部      ２５…強制放送スイッチ
２７…マイク放送／ＦＭ放送／外部機器放送切替スイッチ
２９…機能試験スイッチ
３１…バッテリー状態表示ＬＥＤ      ３３…外部拡声増幅器（ＡＭＰ）
３５…ハンドマイク      ３７、３８…外部機器への出力端子・入力端子
３９…ＵＳＢ充電端子      ４１…赤色回転灯      ４３…スピーカ
４５…太陽光パネル      ４７…ＦＭアンテナ
【図１】
0005928956.tif 000002
【図２】
0005928956.tif 000003
【図３】
0005928956.tif 000004
【図４】
0005928956.tif 000005
【図５】
0005928956.tif 000006
【図６】
0005928956.tif 000007